(57)【特許請求の範囲】
【請求項１】
装置本体の正面に紙幣挿入口が形成されたフロントマスクを装着した紙幣処理装置において、
前記装置本体に、前記フロントマスクを覆うフロントマスクカバーを着脱自在に装着するとともに、
該フロントマスクカバーにＩＣカードのＩＣ記憶領域に対して情報の記録再生処理を行うカードリーダライタ手段を配設したことを特徴とする紙幣処理装置。
【請求項２】
前記カードリーダライタ手段は、
前記フロントマスクカバーの所定位置に配設される前記ＩＣカードと通信を行うアンテナと、
前記アンテナと対向する位置に形成され前記ＩＣカードを収容するカードホルダと
から構成されていることを特徴とする請求項（１）記載の紙幣処理装置。
【請求項３】
前記カードホルダは、前記ＩＣカードを支持するとともに、前記ＩＣカードとの通信の終了に伴って前記ＩＣカードを排出するカード排出支持手段をさらに具備することを特徴とする請求項（２）記載の紙幣処理装置。
【請求項４】
前記カードホルダは、前記ＩＣカードの収容の有無を検知するカード検知手段をさらに具備し、該カード検知手段による前記ＩＣカードの収容を検知した場合に、前記ＩＣカードとの通信を開始することを特徴とする請求項
（２）記載の紙幣処理装置。
【請求項５】
前記カードホルダには、該カードホルダ内のＩＣカードの有無を確認するための確認窓が形成されていることを特徴とする請求項（２）記載の紙幣処理装置。
【請求項６】
前記カードホルダには、粉塵の蓄積防止用の孔が形成されていることを特徴とする請求項（２）記載の紙幣処理装置。
【請求項７】
前記カードホルダは、前記ＩＣカードを受け入れるカード挿入口を有し、該カード挿入口には該カード挿入口を開閉するカード挿入口カバーが配設されていることを特徴とする請求項（２）記載の紙幣処理装置。
【発明の詳細な説明】
【０００１】
【発明の属する技術分野】
この発明は、自動販売機、両替機、サービス機器等に使用され、投入紙幣の真偽を判別するとともに、真券を収容するようにした紙幣処理装置に関する。
【０００２】
【従来技術】
一般に、商品の購入等に関し紙幣を取り扱う自動販売機、両替機、サービス機器等内には、投入紙幣の真偽を判別するとともに、真券をスタッカ内に積載収容するようにした紙幣処理装置が装着されている。
【０００３】
一方、近年では、通貨を使用することなく、金銭情報等の各種情報がＩＣ記憶領域内に記録されたカード、いわゆるＩＣカードを使用して自動販売機から物品を購入する場合がある。
【０００４】
このようにＩＣカードを使用して商品を購入する場合は、当該ＩＣカードのＩＣ記憶領域にアクセスして、金銭情報等の各種情報を記録再生するカードリーダライタを自動販売機等のサービス機器等内に装着することが必要である。
【０００５】
なお、現在、上述したカードリーダライタのＩＣカードに対するアクセス形式としてはＩＣ記憶領域に対し、アンテナ等の通信手段を介し非接触でアクセスするもの、あるいはＩＣ記録領域に対しコンタクトを介し直接接触してアクセスするもの、あるいは、このような接触型、非接触型双方のアクセス機能を有するもの等が提供されている。
【０００６】
また、ＩＣカードも上述したカードリーダライタの各種アクセス形式に対応して、カード内にアンテナ機能を有し非接触でＩＣ記憶領域から情報を伝達する形式のもの、あるいはカードリーダライタのコンタクトに直接接触して情報を伝達する形式のもの、また接触型、非接触型双方の機能を兼ねそなえた形式のもの等が提供されている。
【０００７】
【発明が解決しようとする課題】
ところで、上述した紙幣処理装置、あるいはカードリーダライタを、それらが装着される自動販売機等のサービス機器側からみると、上述したカードリーダライタのみを単独で自動販売機等内に装着する場合は特にその設置スペース等について問題は生じないが、従来のごとく紙幣処理装置、硬貨処理装置等が配設された自動販売機内に、さらに加えて新たにカードリーダライタを装着する場合は、このカードリーダライタを装着するためのスペースを自動販売機内に確保する必要があり、このため狭い自動販売機等のサービス機器内の商品収容スペースがカードリーダライタを装着することにより一層狭くなり、このため自動販売機等内に十分に商品を収容するスペースを確保することができなくなる虞があった。
【０００８】
この発明は上述した事情に鑑み、ＩＣカードのカードリーダライタ機能を有する紙幣処理装置を提供することを目的とする。
【０００９】
【課題を解決するための手段】
上述した目的を達成するため、この発明では、装置本体の正面に紙幣挿入口が形成されたフロントマスクを装着した紙幣処理装置において、前記装置本体に、前記フロントマスクを覆うフロントマスクカバーを着脱自在に装着するとともに、該フロントマスクカバーにＩＣカードのＩＣ記憶領域に対して情報の記録再生処理を行うカードリーダライタ手段を配設するようにしている。
【００１０】
【発明の実施の形態】
以下、この発明に係わる紙幣処理装置の一実施例を詳述する。
【００１１】
図１は、この発明に係わる紙幣処理装置１の概念斜視図である。
【００１２】
この紙幣処理装置１は、従来と同様に図示せぬ紙幣挿入口が形成されたフロントマスク２０を有する装置本体３と、このフロントマスク２０を覆って装置本体３に装着されたフロントマスクカバー４１とから構成されている。
【００１３】
即ち、フロントマスク２０は、従来の紙幣処理装置の概念断面図を示す図２のように、正面に紙幣を挿入する紙幣挿入口２３が形成され、内部には挿入された紙幣の引き抜き等を防止するために図中の矢印Ａ方向に駆動するシャッタ２４が配設されている。また、フロントマスク２０は装置本体３の正面に着脱自在に装着されている。
【００１４】
一方、装置本体３内には、挿入された紙幣を搬送するための搬送路３１と搬送ローラ３２と、挿入された紙幣の真偽および金種を判別するための磁気センサ３３と光センサ３４と、搬送ローラ３２を駆動する駆動モータ３５と、真券と判定された紙幣を収容するスタッカ３６と、スタッカを駆動するスタッカモータ３７と、紙幣処理装置１全体を制御する制御部３８等が配設されている。
【００１５】
また、装置本体３には、その正面に、後述するフロントマスクカバー着脱用の図示せぬ嵌合孔が形成されている。
【００１６】
一方、フロントマスク２０を着脱自在に覆う前記フロントマスクカバー４１は、その概念断面図で示す図３のように、フロント非接触形の図示せぬＩＣカードと通信を行うためのアンテナ２１と、該アンテナと対向する位置に形成され図示せぬＩＣカードを支持し収容するカードホルダ５０から構成されている。
【００１７】
なお、アンテナ２１及びカードホルダ５０はそれぞれ装置本体３（図２）に対して所定の角度の傾斜をつけるように形成されている。なお、このアンテナ２１とカードホルダ５０は、ＩＣカードのＩＣ記憶領域に対して情報の記録再生処理を行うカードリーダライタ手段を構成する。
【００１８】
このうち、アンテナ２１は、フロントマスクカバー４１内部であってカードホルダ５０と対向する位置に配設され、また、カードホルダ５０は、上部に形成されたカード挿入口４８と、該カード挿入口４８に連通するカード収容スリット４８ａ内にその先端が突出し、カード挿入口４８から挿入されたＩＣカードをその長手方向に沿って支承する一対のストッパ２２と、該ストッパ２２のやや上方に形成された窓４２と、カード挿入口４８を覆うカード挿入口カバー４３と、紙幣挿入口２３（図２）に連通する部分６０を開閉自在に覆う紙幣挿入口カバー４４と、前記カード収容スリット４８ａの下端が前記紙幣挿入口２３（図２）に連通する部分６０に連通することにより形成される粉塵蓄積防止用の孔４５と、上下端の舌片部４９に形成された一対の嵌合孔４６から構成されている。
【００１９】
このうち一対のストッパ２２は、カード収容スリット４８ａ内に挿入されたＩＣカードを支持するとともに、ＩＣカードの挿入を検知するセンサとしても機能する（この実施例ではストッパ２２がセンサとして動作するが、別にセンサを設けてもよい）。
【００２０】
また、窓４２は、ＩＣカードの有無を視認するために形成されており、その周縁には粉塵等が侵入しないよう、透明なガラスや樹脂等がはめ込まれている。
【００２１】
なお、この紙幣処理装置１が装着される自動販売機が専ら屋内に設置される場合には、窓４２は貫通していてもよく、またカード挿入口カバー４３や紙幣挿入口カバー４４も不要である。
【００２２】
また、カード挿入口カバー４３は、図中の矢印Ｂ方向に回動自在であって、カードホルダ５０内への埃等の侵入を防止している。
【００２３】
また、紙幣挿入口カバー４４は、フロントマスク２０の紙幣挿入口２３（図２）を覆うように配設され、図中の矢印Ｃ方向に回動自在のカバーであって、紙幣挿入口２３内への埃等の侵入を防止している。
【００２４】
また、粉塵蓄積防止用の孔４５は、カードホルダ５０内部に粉塵等が蓄積しないようにしている。
【００２５】
このようなフロントマスクカバー４１では、カードホルダ５０に、ＩＣカードを挿入する際には、カード挿入口カバー４３を開き、ＩＣカードをカード収容スリット４８ａ内に挿入する。
【００２６】
ＩＣカードが挿入されると、一対のストッパ２２はＩＣカードを支持するとともにＩＣカードの挿入を検知するセンサとしても動作する。
【００２７】
ストッパ２２により、ＩＣカードの挿入が検知されると、制御部３８（図２）が動作し、アンテナ２１を介して制御部３８がＩＣカードに対する金銭情報等の記録再生を行う。取引（商品購入）が終了し、ＩＣカードに対する金銭情報等の記録再生が終了すると、制御部３８がストッパ２２を動作させてＩＣカードをカードホルダ５０から排出する。この動作のために、ストッパ２２にはアクチュエータを使用するが、より簡単な構成とするために、ばね等の弾性体を用いて同様の動作を可能とするストッパ２２を構成してもよい。
【００２８】
図６は、ばねを使用した場合のストッパ２２の構成を示した概念図である。
【００２９】
ストッパ２２をばねを使用した構成とする場合には、同図（ａ）に示すように、ストッパ２２をばね２２１で支持する。ユーザがＩＣカード６をカードホルダ５０に挿入すると、ユーザの力によりストッパ２２はＩＣカード６とともに、図中矢印Ｅの方向に移動する。
【００３０】
ストッパ２２とＩＣカード６が所定の位置まで移動すると、ばね２２１は圧縮され、ストッパ２２は同図（ｂ）に示すようにフック２２２と係合して固定される。この状態で、ＩＣカード６に対する記録再生が終了すると、制御部３８がコイル２２３に通電する。これにより、鉄等の磁性体で作成されたフック２２２がコイル２２３に吸引され、ストッパ２２とフック２２２との係合が解除される。ストッパ２２とフック２２２との係合が解除されるとバネ２２１が解放され、ストッパ２２が図中矢印Ｆの方向に移動してＩＣカード６をカードホルダ５０から排出する。
【００３１】
また、このフロントマスクカバー４１では、カードホルダ５０のカード挿入口４８に図４中の矢印Ｄに示す方向でカードを出入するが、カードホルダ５０とアンテナ２１は装置本体３に対して所定の角度の傾斜をつけて配設されているから、矢印Ｄの方向が鉛直方向の場合と比較して、カードの出入を容易にすることができる。なお、カードホルダ５０とアンテナ２１の角度は、厳密に一致しなくとも非接触形のＩＣカードの記録再生には何等影響はない。
【００３２】
この紙幣処理装置１を組み立てるには、上述した構造のフロントマスクカバー４１と、従来の紙幣処理装置を用意する。そして、図４で示すように、装置本体３に固着されたフロントマスク２０をフロントマスクカバー４１で覆うとともに、装置本体３に形成された図示せぬフロントマスクカバー着脱用嵌合孔とフロントマスクカバー４１の嵌合孔４６とを位置決めする。その後、この嵌合孔４６内にビス４７を嵌合して装置本体３に螺着するとフロントマスク２０を覆うようにフロントマスクカバー４１を装置本体３に装着することができる。
【００３３】
また、このように組み立てられた紙幣処理装置１を、従来の紙幣処理装置に戻すには、ビス４７取り外してフロントマスクカバー４１を装置本体３から離脱すればよい。
【００３４】
また、このように組み立てられた紙幣処理装置１を自動販売機に装着するには、図４及びその概念斜視図示す図５のように、フロントマスクカバー４１を自動販売機の正面扉５に形成された装着孔５ａ内から露出させればよく、従来の紙幣処理装置の装着とまったく同一である。
【００３５】
このような紙幣処理装置１では、フロントマスクカバー４１を介し図２で示す紙幣挿入口２３内に紙幣が挿入されると、該紙幣は搬送ローラ３２により搬送路３１内を搬送される。このとき、磁気センサ３３と光センサ３４の検出出力により、当該紙幣の真偽および金種が判定され、この判定結果により当該紙幣が真券で、かつ、適合金種（受入れ金種に制限がある場合）であれば、当該紙幣はスタッカ３６に収容される。
【００３６】
また、この紙幣処理装置１が図示しないＩＣカードに対して、金種情報等の記録再生を行う場合には、図４に示すカードホルダ５０の一対のストッパ２２により支持されたＩＣカードとアンテナ２１を介して通信が行われることとなる。
【００３７】
すなわち、この発明の紙幣処理装置１では、従来の自動販売機にフロントマスクカバー４を装着するのみで、ＩＣカードのカードリーダライタ機能を有する紙幣処理装置に変更することが可能となり、また、この発明の紙幣処理装置１から、フロントマスクカバー４１を離脱すれば、ＩＣカードのカードリーダライタ機能を有しない従来の紙幣処理装置が得られることとなる。
【００３８】
また、この発明に係わるカードリーダライタ機能付き紙幣処理装置１を自動販売機に装着する際は、当該自動販売機側の改造は全く不要である。
【００３９】
また、この紙幣処理装置１では、装置本体３にフロントマスク２０を覆うフロントマスクカバー４１を着脱自在に装着するとともに、該フロントマスクカバー４１にＩＣカードのＩＣ記憶領域に対して情報の記録再生処理を行うカードリーダライタ手段を配設するようにしたから、紙幣処理装置等が配設された自動販売機等のサービス機器内に、さらにカードリーダライタを装着するスペースを確保する必要がなく、このためサービス機器の内部スペースに制限を加えることなくカードリーダライタを装着することができることとなる。
【００４０】
ここで、この発明に係わる紙幣処理装置１にＩＣカードが挿入されてから排出されるまでの制御部３８の動作を図７を参照して説明する。
【００４１】
図７は、制御部３８の動作の流れを示すフローチャートである。
【００４２】
制御部３８は、電源が投入され動作を開始すると（ステップ３０１）、カードホルダ５０内のカードの有無を検知するセンサとしても動作するストッパ２２がカードを検知するまで待機し（ステップ３０２でＮＯ）、ストッパ２２によりカードが検知されると（ステップ３０２でＹＥＳ）、アンテナ２１を介してカードホルダ５０内のＩＣカードと取引（通信）を開始する（ステップ３０３）。ここで、取引が終了すると（ステップ３０４でＹＥＳ）、コイル２２３に通電してカードをカードホルダ５０から排出し（ステップ３０５）、処理を終了する（ステップ３０６）。
【００４３】
また、上述の実施例では、カードの出入方向が鉛直方向であったが、水平方向とすることもできる。
【００４４】
図８は、カードの出入方向を水平方向とした場合のフロントマスクカバー４１斜視図であり、図５に対応するものである。
【００４５】
図８においては、自動販売機の正面扉５０５に固着されたフロントマスクカバー４１には、図中矢印Ｇの方向からＩＣカードを出入するためのカード挿入口５４５が具備されている。このカード挿入口５４５にはカード挿入口カバーを付けていないが、窓５４２と紙幣挿入口カバー５４４は、上述の実施例と同様に具備されている。
このような構成では、図示しない紙幣処理装置が具備するストッパは、図中矢印Ｇの方向に対応したものとする必要があるが、その他の構成は同様とすることができる。
【００４６】
なお、上述の実施例では、ストッパを駆動してカードの排出を行うようにしたが、カードの挿入口を人間の指が入る程度の大きさにするか、窓を貫通させた構成とする場合には、ストッパを固定して（紙幣処理装置側とカードホルダ側のどちらが具備してもよい）、カードの排出はユーザ自らが行うようにすることもできる。
【００４７】
なお、この実施例の紙幣処理装置１では、その制御部３８はフロントマスクカバー４１のカードリーダライタ機能を含め紙幣処理装置１全体を制御することとしたが、これに限定せず、フロントマスクカバー４１のカードリーダライタ機能を制御部３８とは別の制御部により制御するようにしても良い。
【００４８】
【発明の効果】
以上説明したように、この発明の紙幣処理装置では、装置本体の正面に紙幣挿入口が形成されたフロントマスクを装着した紙幣処理装置において、前記装置本体に、前記フロントマスクを覆うフロントマスクカバーを着脱自在に装着するとともに、該フロントマスクカバーにＩＣカードのＩＣ記憶領域に対して情報の記録再生処理を行うカードリーダライタ手段を配設するようにしたから、紙幣処理装置等が配設された自動販売機等のサービス機器内に、さらにカードリーダライタを装着するスペースを確保する必要がなく、このためサービス機器の内部スペースに制限を加えることなくカードリーダライタを装着することができる。
【００４９】
また、装置本体に、前記フロントマスクを覆うフロントマスクカバーを着脱自在に装着するとともに、該フロントマスクカバーにＩＣカードのＩＣ記憶領域に対して情報の記録再生処理を行うカードリーダライタ手段を配設するようにしたから、従来の紙幣処理装置にフロントマスクカバーを着脱自在に取り付けることができる。したがって、従来の自動販売機にフロントマスクカバーを装着するのみで、ＩＣカードのカードリーダライタ機能を有する紙幣処理装置に変更することが可能となり、また、この発明の紙幣処理装置から、フロントマスクカバーを離脱すれば、ＩＣカードのカードリーダライタ機能を有しない従来の紙幣処理装置を提供することができる。なお、その装置の変更する際、自動販売機側に改造等の変更を加えることもない。
【００５０】
これにより、従来の紙幣処理装置に改造を加えることなく安価にカードリーダライタ機能を有する紙幣処理装置を提供することができる。また、フロントマスクにカードリーダライタ手段を有するフロントマスクカバーを装着するようにしたから、カードリーダライタ手段と紙幣処理装置の紙幣識別部との間の有害な信号干渉を可及的に排除することもできる。
【図面の簡単な説明】
【図１】図１は、この発明に係わる紙幣処理装置の概念斜視図。
【図２】図２は、この発明に係わる紙幣処理装置の一部を構成する従来の紙幣処理装置の概念断面図。
【図３】図３は、フロントマスクカバーの概念断面図。
【図４】図４は、自動販売機に紙幣処理装置１を装着した状態を示す概念断面図。
【図５】図５は、自動販売機に紙幣処理装置１を装着した状態を示す概念斜視図
【図６】図６は、ばねを使用した場合のストッパ２２の構成を示した概念図。
【図７】図７は、制御部３８の動作の流れを示すフローチャート。
【図８】図８は、カードの出入方向を水平方向とした場合の斜視図。
【符号の説明】
１…紙幣処理装置
３…装置本体
６…ＩＣカード
２０…フロントマスク
２１…アンテナ
２１、５０…カードリーダライタ手段
２２…ストッパ
２２、２２１、２２２、２２３…カード排出支持手段
２２…カード検知手段
２３…紙幣挿入口
２４…シャッタ
４１…フロントマスクカバー
４２、５４２…窓
４３…カード挿入口カバー
４５…粉塵の蓄積防止用の孔
４８、５４５…カード挿入口
５０…カードホルダ
【図１】
0003914333.tif 000002
【図２】
0003914333.tif 000003
【図３】
0003914333.tif 000004
【図４】
0003914333.tif 000005
【図５】
0003914333.tif 000006
【図６】
0003914333.tif 000007
【図７】
0003914333.tif 000008
【図８】
0003914333.tif 000009